(57)【要約】【課題】光源本体とレンズとを別体で構成した場合であっても、これらを容易に交換することができ、しかも、簡易かつコンパクトな構成で光源本体とレンズとを正確に位置決めすることができる光源装置、及び、その光源装置を用いた画像形成装置を提供する。【解決手段】ＬＥＤ１０１などの光源本体と、光源本体から出射した光の光路を形成するレンズ１０２などの光路形成部材とを備えた光源装置であって、光源本体及び光路形成部材をそれぞれ所定の位置に位置決めする位置決め部１０４を有する取付け部１００と、光源本体及び光路形成部材をそれぞれ取付け部１００に位置決めされた状態で一体的に保持する保持ブラケット１０３などの保持部材と、を備える。【選択図】図４
2014157720.tif 000002
【特許請求の範囲】
【請求項１】
光源本体と、該光源本体から出射した光の光路を形成する光路形成部材と、を備えた光源装置であって、
前記光源本体及び前記光路形成部材をそれぞれ所定の位置に位置決めする位置決め部を有する取付け部と、
前記光源本体及び前記光路形成部材をそれぞれ前記取付け部に位置決めされた状態で一体的に保持する保持部材と、を備えたことを特徴とする光源装置。
【請求項２】
請求項１の光源装置において、
前記取付け部には前記光路形成部材の光を外部に出射するための開口部が形成され、該開口部が前記位置決め部を兼ねることを特徴とする光源装置。
【請求項３】
請求項１又は２の光源装置において、
前記光源本体及び前記光路形成部材はそれぞれ、互いに連結可能な連結部が形成されていることを特徴とする光源装置。
【請求項４】
請求項２又は３の光源装置において、
前記開口部の近傍に前記光路形成部材の側面を覆うための遮光部材を設けたことを特徴とする光源装置。
【請求項５】
請求項１乃至４のいずれかの光源装置において、
前記取付け部は、前記保持部材を締結するための締結部が形成されていることを特徴とする光源装置。
【請求項６】
請求項５の光源装置において、
前記光路形成部材は、その光路形成部材が所定の向きで前記取付け部に取り付けられたときに前記締結部が位置する部分に、前記締結部との空間的な干渉を回避する切り欠き部が形成されていることを特徴とする光源装置。
【請求項７】
ユーザの操作を案内する操作案内手段を備えた画像形成装置であって、
前記操作案内手段として、請求項１乃至６のいずれかの光源装置を用いたことを特徴とする画像形成装置。
【発明の詳細な説明】
【技術分野】
【０００１】
本発明は、ＬＥＤ等の光源本体とレンズとを保持する構造を有する光源装置、及び、その光源装置を備えた画像形成装置に関するものである。
【背景技術】
【０００２】
従来、この種の光源装置として、光源本体であるＬＥＤ（発光ダイオード）とＬＥＤの光を屈折させて出射する光路形成部材としてのレンズとを一体で構成した光源装置としてのレンズ一体型ＬＥＤが知られている。光源本体のＬＥＤは、赤色、青色又は緑色など様々な色を発光することができる。また、レンズは、ＬＥＤからレンズに入射した光を平行に出射したり、直角に曲げて出射したり、様々な方向に出射することができる。このようなＬＥＤとレンズとで構成されたレンズ一体型ＬＥＤを使用する場合には、光の色や出射する方向などが互いに異なる複数種類のレンズ一体型ＬＥＤから、使用目的に合ったものを選択することになる。
【０００３】
しかし、上記レンズ一体型ＬＥＤでは、光源本体であるＬＥＤが壊れた場合、その壊れたＬＥＤをまだ使用できるレンズとともに交換しなければならず、コストアップになってしまう。また、画像形成装置などの同一装置の複数箇所にレンズ一体型ＬＥＤを使用する場合、レイアウトの都合上、１種類のレンズ一体型ＬＥＤでは対応できない場合が多く、複数種類のレンズ一体型ＬＥＤを準備しなければならない。例えば、ＬＥＤの光軸方向に対して平行に出射する場合と、直角に出射する場合とでは、少なくとも２種類のレンズ一体型ＬＥＤを準備しなければならない。このようにレンズ一体型ＬＥＤの種類が増えると、管理コストや購入コストなどのコストが高くなってしまう。
【０００４】
一方、ＬＥＤとレンズとを別体で構成すれば、光源本体であるＬＥＤが壊れた場合には、ＬＥＤの交換だけですみ、レンズも同時に交換しなければならないレンズ一体型ＬＥＤよりもコストがかからない。また、レンズの変更だけで光の出射方向を変えることができ、様々な取付け箇所への対応が可能となる。
【０００５】
ＬＥＤとレンズとを別体で構成した光源装置として、例えば、特許文献１には、複数のＬＥＤとロッドレンズアレイとを別体で構成した光プリントヘッドが開示されている。特許文献１の光プリントヘッドは、ライン状に配列される複数のＬＥＤが実装される第１の基板と、受信用ＩＣが実装される第２の基板と、第１の基板と所定間隔を有して配置されるレンズアレイとを備えている。そして、第２の基板が第１の基板の実装面に対して垂直方向に接続固定されることにより、光プリントヘッドの小型化を図っている。
【０００６】
また、特許文献２には、スイッチ回路用の配線パターンが形成されたプリント基板の所定位置に緑色ＬＥＤと赤色ＬＥＤとを実装し、これらを覆うようにカバーが設けられ、カバーの上に複数のレンズが装着された自動販売機等の押ボタンが開示されている。特許文献２の自動販売機等の押ボタンは、部品点数の減少によりコストダウンと小型化を図ることを目的としている。また、緑色ＬＥＤ及び赤色ＬＥＤそれぞれの発光の組み合わせ方により、販売中や売り切れといった利用者に対する表示機能を損なわないことを目的としている。
【発明の概要】
【発明が解決しようとする課題】
【０００７】
上記特許文献１の光プリンタヘッド及び上記特許文献２の自動販売機等の押ボタンでは、基板にＬＥＤが直接実装されているため、ＬＥＤが壊れた場合、ＬＥＤが実装された基板ごと交換しなければならず、コストアップになるおそれがある。このようなコストアップを抑えるためには、基板に対してＬＥＤを着脱可能にして、基板からＬＥＤを取り外して交換可能な構成とすることが望ましい。
【０００８】
従来、基板に対してＬＥＤを着脱可能な構成としては、例えば、ＬＥＤを着脱可能なコネクタなどのブラケットを基板に取り付け、そのブラケットに対してＬＥＤの足である電極を挿入してＬＥＤを着脱可能に保持する構成が知られている。更に、レンズをネジで着脱可能に保持し、ＬＥＤとレンズとを別々に着脱可能に取り付ける場合もある。
【０００９】
しかしながら、ＬＥＤをブラケットで着脱可能に保持する構成では、ブラケットで保持するＬＥＤの位置がばらつきやすく、ＬＥＤの正確な位置決めが難しい。ＬＥＤの位置がばらつくと、ＬＥＤとレンズとの間の距離に変動が生じたり、ＬＥＤの光軸とレンズの光軸とのずれが生じたりする。また、レンズをネジで着脱可能に保持し、ＬＥＤとレンズとを別々に取付ける構成の場合には、レンズを保持する際の位置ずれも生じ、ＬＥＤとレンズとの正確な位置決めが更に難しくなる。また、ＬＥＤ及びレンズそれぞれを保持する保持部材が必要となり、複雑な構造になるとともに、広いスペースが占有されてしまうおそれがある。
【００１０】
また、上記特許文献１及び特許文献２に記載されているようにＬＥＤとレンズとを別体で構成する場合、ＬＥＤとレンズとの距離を所定の距離に保ちつつ、ＬＥＤの光軸とレンズの光軸とを一致させるように、位置決めして配置することが重要である。例えば、特許文献１の光プリンタヘッドのように複数のＬＥＤの光をロッドレンズアレイから出射する構成の場合には、ロッドレンズから出射される光の輝度が変動しないように、各ＬＥＤと対応するロッドレンズとの距離を所定の距離で一定に保つことが重要である。更に、ＬＥＤの光軸とレンズの光軸とがずれると、レンズから出射される光にムラが生じてしまうため、ＬＥＤの光軸とレンズの光軸とを正確に一致させて配置することが重要である。
【００１１】
以上説明したように、互いに別体で構成されたＬＥＤとレンズとが正確に位置決めされないと、ＬＥＤとレンズとの距離が変動してレンズから出射される光の輝度がばらついたり、ＬＥＤの光軸とレンズの光軸とがずれてレンズから出射される光にムラが生じたりしてしまう。
【００１２】
本発明は以上の問題点に鑑みなされたものであり、その目的は、光源本体とレンズとを別体で構成した場合であっても、これらを容易に交換することができ、しかも、簡易かつコンパクトな構成で光源本体とレンズとを正確に位置決めすることができる光源装置、及び、その光源装置を備えた画像形成装置を提供することである。
【課題を解決するための手段】
【００１３】
上記目的を達成するために、請求項１の発明は、光源本体と、該光源本体から出射した光の光路を形成する光路形成部材と、を備えた光源装置であって、前記光源本体及び前記光路形成部材をそれぞれ所定の位置に位置決めする位置決め部が形成された取付け部と、前記光源本体及び前記光路形成部材をそれぞれ前記取付け部に位置決めされた状態で一体的に保持する保持部材と、を備えたことを特徴とするものである。
【発明の効果】
【００１４】
本発明によれば、取付け部に設けられた位置決め部により、光源本体及び光路形成部材はそれぞれ取付け部の所定の位置に正確に取付けられるため、光源本体と光路形成部材との間の相対的な配設位置の誤差を低減することができる。また、保持部材が光源本体及び光路形成部材を一体的に保持するので、それぞれ別々の部材で保持する場合に比べ、部品点数を削減でき、コンパクトに配置することが可能となる。また、保持部材を取り外すことにより、光源本体及び光路形成部材を別々に取付け部から取り外すことが可能となる。従って、光源本体と光路形成部材とを別体で構成した場合であっても、これらを容易に交換することができ、しかも、簡易かつコンパクトな構成で光源本体と光路形成部材とを正確に位置決めするとことができる。
【図面の簡単な説明】
【００１５】
【図１】本発明の一実施形態に係るカラー複写機の一例を示す概略構成図。
【図２】同カラー複写機の画像形成装置本体から引出しユニットを引出した状態を示す概略構成斜視図。
【図３】（ａ）はカラー複写機に設けられたＬＥＤ光源装置の設置箇所の一例を示す斜視図。（ｂ）は引出しユニットの内部に設けられたＬＥＤ光源装置の設置箇所を示す部分斜視図。
【図４】本発明の一実施形態に係るＬＥＤ光源装置の一例を示す分解斜視図。
【図５】（ａ）及び（ｂ）はそれぞれＬＥＤとレンズとの連結前の状態を示す斜視図及び側面図。
【図６】（ａ）及び（ｂ）はそれぞれＬＥＤとレンズとを連結した状態を示す斜視図及び側面図。
【図７】（ａ）〜（ｄ）は、ＬＥＤとレンズとを取付け部に取付ける手順を示す斜視図。
【図８】（ａ）及び（ｂ）はそれぞれＬＥＤとレンズとを取付け部に取付けた状態であって、保持ブラケットを透明として内部を透視した状態を示す平面図及び斜視図。
【図９】取付け部の他の構成を示す斜視図。
【発明を実施するための形態】
【００１６】
以下、本発明を画像形成装置としてのタンデム型カラー複写機（以下、「カラー複写機」という。）に適用した実施形態の一例について説明する。
【００１７】
図１は、本発明の一実施形態に係るカラー複写機１の一例を示す概略構成図である。
図１において、カラー複写機１は、自動原稿搬送装置（以下、「ＡＤＦ」という。）１０と、画像形成装置本体１１とから構成されている。また、画像形成装置本体１１は、給紙部３と、画像読取部４と、画像形成部５とから構成されている。そして、画像形成部５の前側Ｆには、後述する引出しユニット７６の前面に設けられる前カバー６が配置されている。なお、本明細書中において、カラー複写機１の前側Ｆとはカラー複写機１の手前側を意味するとともに、後側Ｒとはカラー複写機１の奥側を意味する（図２参照）。
【００１８】
上記ＡＤＦ１０は、原稿トレイ２０と、給紙ローラ２１と、搬送ベルト２２と、排紙ローラ２３と、排紙トレイ２４とを含んで構成されている。このＡＤＦ１０は、画像読取部４に対し、ヒンジなどの開閉機構（不図示）を介して開閉自在に取付けられている。
【００１９】
給紙ローラ２１は、原稿トレイ２０に載置された原稿（不図示）の束から１枚ずつ分離して、画像読取部４に向かって搬送する。搬送ベルト２２は、給紙ローラ２１によって分離された原稿を画像読取部４に搬送する。排紙ローラ２３は、搬送ベルト２２によって画像読取部４から排紙される原稿を、原稿トレイ２０の下方の排紙トレイ２４に排紙する。
【００２０】
上記給紙部３は、給紙カセット３０と、給紙手段３１とを備えている。給紙カセット３０は用紙サイズの異なる記録媒体（不図示）を収容する。給紙手段３１は、給紙カセット３０に収納された記録媒体を画像形成部５の画像形成位置まで搬送する。
【００２１】
上記画像読取部４は、筐体４０と、走査光学ユニット４１と、コンタクトガラス４２と、駆動手段（不図示）とを含んで構成されている。
走査光学ユニット４１は、筐体４０の内部に設けられるとともに、複数の発光素子としてのＬＥＤ（発光ダイオード）が所定方向に配置された光照射手段としてのＬＥＤユニットを備えている。走査光学ユニット４１は、ＬＥＤユニットから主走査方向に光を照射するとともに、駆動手段によって全照射領域内において副走査方向に走査される。これにより、走査光学ユニット４１は、原稿の２次元カラー画像を読み取るようになっている。
また、コンタクトガラス４２は、画像読取部４の筐体４０の上部に設けられ、筐体４０の上面部を構成している。駆動手段は、走査光学ユニット４１に固定されたワイヤと、ワイヤに橋架される複数の従動プーリおよび駆動プーリと、駆動プーリを回転させるモータとを備えている。
【００２２】
上記画像形成部５は、露光ユニット５１と、タンデム画像形成装置５０と、中間転写ベルト５４と、中間転写ローラ５５と、２次転写装置５２と、定着装置の一例としての定着ユニット５３と、主搬送路７０と、反転搬送路７３とを含んで構成されている。
【００２３】
図１に示すように、露光ユニット５１は、タンデム画像形成装置５０に隣接して配置されている。露光ユニット５１は、各色に設けられた感光体ドラム７４に露光を行うようになっている。
【００２４】
タンデム画像形成装置５０は、中間転写ベルト５４の上であって、中間転写ベルト５４の回転方向に沿ってイエロー、シアン、マゼンタ、ブラックの４つの画像形成手段７５から構成されている。個々の画像形成手段７５は、詳細な図示を省略するが、上記各色に設けられた感光体ドラム７４の周りに帯電装置、現像装置、感光体クリーニング装置、除電装置などを備えている。そして、各感光体ドラム７４とその周りに設けられる上記各装置がユニット化されて１つのプロセスカートリッジを構成している。
【００２５】
そして、タンデム画像形成装置５０では、画像読取部４によって読み取られて色別分解された画像情報に基づいて、各感光体ドラム７４に色分けしてトナーにより形成された可視画像（トナー画像）を形成するようになっている。また、各感光体ドラム７４に形成された可視画像は、各感光体ドラム７４と中間転写ローラ５５との間で中間転写ベルト５４に転写されるようになっている。
【００２６】
一方、中間転写ベルト５４を挟んでタンデム画像形成装置５０の反対側には、２次転写装置５２が設けられている。２次転写装置５２は、図示の例では２つの支持ローラ５７の間に無端ベルトである２次転写ベルト５６を掛け渡して構成されている。そして、２次転写ベルト５６を中間転写ベルト５４に押し当てることにより、中間転写ベルト５４に形成されたトナー画像が、給紙部３から主搬送路７０を介して搬送された記録媒体に転写されるように構成されている。また、２次転写装置５２としては、２次転写ベルト５６の代わりに２次転写ローラを採用してもよい。
【００２７】
２次転写装置５２の記録媒体の搬送方向下流側には定着ユニット５３が設けられている。定着ユニット５３は、無端ベルトである定着ベルト５８に加圧ローラ５９を押し当てて構成している。そして、定着ユニット５３は、加圧ローラ５９により記録媒体に熱と圧力とを加えることにより、記録媒体に転写されたトナー画像のトナーを溶融して、記録媒体にカラー画像として定着するようになっている。
【００２８】
また、図１に示すように、反転搬送路７３が、２次転写装置５２および定着ユニット５３の下側に設けられている。反転搬送路７３は、記録媒体の両面に画像を形成するために、定着ユニット５３から排出された記録媒体の表裏を反転させて再度主搬送路７０を介して２次転写装置５２に供給するためのものである。
【００２９】
図２は、本発明の一実施形態に係るカラー複写機１の画像形成装置本体１１から引出しユニット７６を引出した状態を示す概略構成斜視図である。
図２に示すように、前カバー６は、キャリア７１の前部に取付けられている。キャリア７１は、レール７２により画像形成部５に対して前後方向（図２中、矢印ＦＲ方向）に移動可能に支持されている。また、キャリア７１には、図１で示した２次転写装置５２、定着ユニット５３、主搬送路７０、反転搬送路７３が設けられている。そして、キャリア７１、２次転写装置５２、定着ユニット５３、主搬送路７０、反転搬送路７３で引出しユニット７６が構成されている。つまり、前カバー６は、引出しユニット７６と一体的に構成されている。これにより、前カバー６に設けられた操作凹部６ａをユーザが握って前カバー６を画像形成部５に対して前後方向（図２中、矢印ＦＲ方向）に移動することにより、引出しユニット７６を画像形成部５に対して引出し収納することができる。
【００３０】
以上のように、２次転写装置５２、定着ユニット５３、主搬送路７０、反転搬送路７３は、キャリア７１に保持された状態で画像形成部５に対して前後方向に移動可能である。カラー複写機１の使用時は画像形成部５に収納される一方、上記各装置の交換を行う場合や、画像形成部５に詰まった記録媒体を除去する場合には、画像形成部５の前側Ｆに引き出すことにより上記各装置の交換や記録媒体の除去が可能となっている。
【００３１】
本実施形態に係るカラー複写機１は、記録媒体に画像を形成する画像形成部５と、この画像形成部５に記録媒体を供給する給紙部３とを含む画像形成装置本体１１を有するようになっている。また、本実施形態に係るカラー複写機１は、画像形成部５を構成する装置の一部を有し、画像形成装置本体１１に対して出し入れ可能に構成された引出しユニット７６を有している。また、本実施形態に係るカラー複写機１は、引出しユニット７６と装置本体とを電気的に接続する束線と、束線を保持する保持部材、引出しユニット７６に設けられたジャム処理箇所を知らせる報知手段を有している。さらに、引出しユニット７６には、少なくとも定着ユニット５３と反転搬送路７３とが設けられている。
【００３２】
本実施形態に係るカラー複写機１には、装置内部に記録媒体が詰まってジャムした場合に、ユーザにジャムした箇所を案内したり、除去手順を案内したりするための操作案内手段として、ＬＥＤとレンズとを有する光源装置（以下、「ＬＥＤ光源装置」という。）が複数箇所に設けられている。
【００３３】
図３（ａ）はカラー複写機１に設けられたＬＥＤ光源装置の設置箇所の一例を示す斜視図であり、（ｂ）は引出しユニット７６の内部に設けられたＬＥＤ光源装置の設置箇所を示す部分斜視図である。図中の☆印を付した位置がＬＥＤ光源装置の装着位置であり、ジャム紙を除去する際のユーザ操作部の近傍に、ＬＥＤ光源装置が設けられている。
【００３４】
図４は、本実施形態に係るＬＥＤとレンズとを保持する構造を有するＬＥＤ光源装置の一例を示す分解斜視図である。また、図５（ａ）はＬＥＤ１０１とレンズ１０２との連結前の状態を示す斜視図、（ｂ）はその側面図である。また、図６（ａ）はＬＥＤ１０１とレンズ１０２とを連結した状態を示す斜視図、（ｂ）はその側面図である。
【００３５】
図４において、取付け部１００、光源本体としてのＬＥＤ１０１、光路形成部材としてのレンズ１０２、保持部材としての保持ブラケット１０３、保持ブラケット１０３を取付け部１００にネジ止めする保持部材締結部材としてのネジ１０８を有している。なお、上記取付け部１００はカラー複写機１に設けられている。
【００３６】
上記取付け部１００には、レンズ１０２を取付けるためのレンズ取付け穴１０７が設けられている。レンズ取付け穴１０７の形状はレンズ１０２と同じ形状となっており、このレンズ取付け穴１０７にレンズ１０２の光出射側の先端部が嵌め合い、レンズ１０２が位置決めされた状態で取付けられる。
【００３７】
また、取付け部１００には、ＬＥＤ１０１を位置決めするための形状を有する位置決め部としての位置決めリブ１０４が形成されている。これにより、ＬＥＤ１０１を取付け部１００に取付けたときに、位置決めリブ１０４によってＬＥＤ１０１が正確に位置決めされる。また、取付け部１００には、保持ブラケット１０３を取付け部１００に取付けるための締結部としてのネジボス１０６が形成されている。ネジボス１０６の中心部にはネジ１０８をねじ込むためのめねじが形成されている。
【００３８】
レンズ取付け穴１０７には、レンズ取付け穴１０７と同じ長穴形状を有する遮光部材としての壁部１０５が設けられている。この壁部１０５は、レンズ１０２の側面からの光の漏れを抑制する機能を有している。これにより、例えば、レンズ１０２を曲面に取付ける場合など、レイアウトの都合上レンズ１０２の長さが長くなる場合であっても、レンズ１０２の側面からの光漏れによる輝度低下をより確実に防ぐことができる。
【００３９】
また、図５（ａ）に示すように、ＬＥＤ１０１及びレンズ１０２はそれぞれ、互いに連結可能な連結部が形成されている。より具体的には、レンズ１０２に、ＬＥＤ１０１を保持するための形状を有する連結部としてのＬＥＤ保持部１０９が形成され、ＬＥＤ１０１にＬＥＤ保持部１０９が連結する連結部としてのスリット１１０が形成されている。
【００４０】
ＬＥＤ１０１のスリット１１０にレンズ１０２のＬＥＤ保持部１０９を差し込むことにより、図６（ａ）、（ｂ）に示すように、ＬＥＤ１０１とレンズ１０２とをあらかじめ部分的に組み立てる部分組み立て（以下、「サブ組み」という。）が行われる。このサブ組みにより、ＬＥＤ１０１の先端部１０１ａとレンズ１０２の光入射面１０２ａとが当接し、ＬＥＤ１０１とレンズ１０２との距離が所定の距離に保たれる。また、ＬＥＤ１０１の光軸とレンズ１０２の光軸とを一致させることができる。また、ＬＥＤ１０１とレンズ１０２とを別々に取付け部１００に取付ける場合に比べ、これらを一体で組付けできるので、組付け作業が容易となる。さらに、ＬＥＤ１０１の電極に配線のハーネスのコシによる負荷が掛かった場合であっても、ＬＥＤ１０１の位置がずれることなく安定し、レンズ１０２との位置関係を保持することが可能となり、組付け性が向上する。よって、ＬＥＤ１０１とレンズ１０２との取付け部１００が装置の凹部にあるときなど、ハーネスを曲げて配設する場合の組付け性の悪化を防ぐことが可能となる。
【００４１】
図７（ａ）〜（ｄ）は、ＬＥＤ１０１とレンズ１０２とを取付け部１００に取付ける手順を示す斜視図である。
ＬＥＤ１０１とレンズ１０２とを取付け部１００に取付ける場合、図７（ａ）に示すように、ＬＥＤ１０１のスリット１１０にレンズ１０２のＬＥＤ保持部１０９を差し込んで、ＬＥＤ１０１とレンズ１０２とのサブ組みを行う。
そして、図７（ｂ）に示すように、サブ組みされたＬＥＤ１０１とレンズ１０２とを、取付け部１００に取付ける。このとき、ＬＥＤ１０１は位置決めリブにより位置決めされ、レンズ１０２はレンズ取付け穴１０７により位置決めされる。この位置決めにより、特に、ＬＥＤ１０１の光軸方向のガタが規制される。
次に、図７（ｃ）に示すように、取付け部１００に位置決めされたＬＥＤ１０１とレンズ１０２とが外れないように、保持ブラケット１０３で同時に一体的に保持する。さらに、図７（ｄ）に示すように、ネジ１０８を取付け部１００のネジボス１０６にねじ込んで保持ブラケット１０３をネジ止めする。
このようにして、ＬＥＤ１０１とレンズ１０２とは取付け部１００に正確に位置決めされて取付けられる。ＬＥＤ１０１とレンズ１０２の光入射面１０２ａとの距離が一定に保たれ、しかもＬＥＤ１０１の光軸とレンズ１０２の光軸とが正確に一致しているので、レンズ１０２から出射される光の輝度のばらつきやムラを防止することができる。
【００４２】
図８（ａ）は、ＬＥＤ１０１とレンズ１０２とを取付け部１００に取付けた状態であって、保持ブラケット１０３を透明として内部を透視した状態を示す平面図であり、（ｂ）はその斜視図である。
図８（ａ）、（ｂ）に示すように、レンズ１０２が所定の向きで取付け部１００に取り付けられたときにネジボス１０６が位置する部分であるレンズ１０２の側面の一部に、ネジボス１０６との空間的な干渉を回避する切り欠き部１０２ｂが形成されている。また、保持ブラケット締結用のネジボス１０６は、レンズ１０２を所定の向きで取付け部１００に取付けるときに切り欠き部１０２ｂに位置する箇所であって、レンズ１０２にぶつからない位置に配置されている。これにより、作業者がレンズ１０２を取付ける際に、レンズ１０２の光出射方向を逆向き（図の上向）に取付けようとしても、ネジボス１０６がレンズ１０２にぶつかって取付けることができないため、組立ミスを防ぐことができる。つまり、レンズ１０２の切り欠き部１０２ｂと、ネジボス１０６とが、レンズ１０２の取付け方向の逆付け防止機能を有している。また、専用のリブを別に設けて逆付けを防止する構成に比べ、占有スペースを小さくすることができる。
【００４３】
図９は、取付け部１００の他の構成を示す斜視図である。
図９に示すように、取付け部１００の壁部１０５と位置決め部１０４とが連続した長方形のリブで形成されている。これにより、図４を用いて説明したように、壁部１０５が長穴状のリブで形成されるよりも、金型の加工が容易となり、金型の製造コストを低減することが可能となる。
【００４４】
以上に説明したものは一例であり、本発明は、次の態様毎に特有の効果を奏する。
（態様Ａ）
ＬＥＤ１０１などの光源本体と、光源本体から出射した光の光路を形成するレンズ１０２などの光路形成部材と、を備えたＬＥＤ光源装置などの光源装置であって、光源本体及び光路形成部材をそれぞれ所定の位置に位置決めする位置決め部１０４を有する取付け部１００と、光源本体及び光路形成部材をそれぞれ取付け部１００に位置決めされた状態で一体的に保持する保持ブラケット１０３などの保持部材と、を備える。
これよれば、上記実施形態について説明したように、取付け部１００に設けられた位置決め部１０４により、光源本体及び光路形成部材はそれぞれ取付け部１００の所定の位置に正確に取付けられるため、光源本体と光路形成部材との間の相対的な配設位置の誤差を低減することができる。また、保持部材が光源本体及び光路形成部材を一体的に保持するので、それぞれ別々の部材で保持する場合に比べ、部品点数を削減でき、コンパクトに配置することが可能となる。また、保持部材を取り外すことにより、光源本体及び光路形成部材を取付け部から取り外すことが可能となる。従って、光源本体と光路形成部材とを別体で構成した場合であっても、これらを容易に交換することができ、しかも、簡易かつコンパクトな構成で光源本体と光路形成部材とを正確に位置決めするとことができる。よって、光路形成部材から出射される光の輝度のばらつきやムラを防止することができる。
（態様Ｂ）
上記態様Ａにおいて、取付け部１００には光路形成部材の光を外部に出射するためのレンズ取付け穴１０７などの開口部が形成され、その開口部が、光路形成部材を所定の位置に位置決めする位置決め部１０４を兼ねる。これによれば、上記実施形態について説明したように、開口部が光路形成部材を位置決めするので、より簡易な構成で光路形成部材を位置決めすることができる。
（態様Ｃ）
上記態様Ａ又はＢにおいて、光源本体及び光路形成部材はそれぞれ、互いに連結可能なＬＥＤ保持部１０９やスリット１１０などの連結部が形成されている。これによれば、上記実施形態について説明したように、光源本体と光路形成部材とを互いに連結させて一体構造体として組み付けることができるため、光源本体と光路形成部材との距離を所定の距離に保つとともに、光軸を互いに一致させることができる。また、光源本体と光路形成部材とを別々に取付け部１００に取付ける場合に比べ、これらを一体構造体として組み付けることができるので、組付け作業が容易となる。さらに、光源本体の電極に配線のハーネスのコシによる負荷が掛かった場合であっても、光源本体の位置がずれることなく安定し、光路形成部材との位置関係を保持することが可能となり、組付け性が向上する。よって、光源装置の取付け部１００が装置の凹部にあるときなど、ハーネスを曲げて配設する場合の組付け性の悪化を防ぐことが可能となる。
（態様Ｄ）
上記態様Ｂ又はＣにおいて、開口部の近傍に光路形成部材の側面を覆うための壁部１０５などの遮光部材を設けた。これによれば、上記実施形態について説明したように、光路形成部材の側面からの光の漏れを抑制することができる。また、特に、光路形成部材を曲面に取付ける場合など、レイアウトの都合上光路形成部材の長さが長くなる場合であっても、光路形成部材の側面からの光漏れによる輝度低下をより確実に防ぐことができる。
（態様Ｅ）
上記Ａ乃至Ｄのいずれかにおいて、取付け部１００は、前記保持部材を締結するためのネジボス１０６などの締結部が形成されている。これによれば、上記実施形態について説明したように、取付け部１００に保持部材をネジ１０８などの締結部材で確実に締結することにより、光源本体と光路形成部材との位置決めを維持しながら、これらをより確実に保持することができる。
（態様Ｆ）
上記態様Ｅにおいて、前記光路形成部材は、その光路形成部材が所定の向きで前記取付け部に取り付けられたときに前記締結部が位置する部分に、前記締結部との空間的な干渉を回避する切り欠き部が形成されている。これによれば、上記実施形態について説明したように、作業者が光路形成部材を所定の向きで取付け部１００に取付ける場合は、締結部にぶつかることことなく光路形成部材をと取付けることができる。一方、作業者が光路形成部材を所定の向き以外の向き（例えば、光路形成部材の光出射方向が所定方向とは逆向きになる向き）で取付け部１００に取付けようとすると、締結部が光路形成部材にぶつかって取付けることができない。このように、光路形成部材の切り欠き部と締結部とが、光路形成部材が所定の向き以外の向きでの取付け（例えば、逆付け）を防止することができる。また、逆付け防止機構として、専用のリブを別に設ける構成に比べ、占有スペースを小さくすることができる。
【符号の説明】
【００４５】
１  カラー複写機
３  給紙部
４  画像読取部
５  画像形成部
６  前カバー
１１  画像形成装置本体
１００  取付け部
１０１  ＬＥＤ
１０２  レンズ
１０２ａ  光入射面
１０２ｂ  切り欠き部
１０３  保持ブラケット
１０４  位置決め部
１０５  壁部
１０６  ネジボス
１０７  レンズ取付け穴
１０８  ネジ
１０９  ＬＥＤ保持部
１１０  スリット
【先行技術文献】
【特許文献】
【００４６】
【特許文献１】特開２０１２−１０１５２８号公報
【特許文献２】特開平１０−１８８０９４号公報
【図１】
2014157720.tif 000003
【図２】
2014157720.tif 000004
【図３】
2014157720.tif 000005
【図４】
2014157720.tif 000006
【図５】
2014157720.tif 000007
【図６】
2014157720.tif 000008
【図７】
2014157720.tif 000009
【図８】
2014157720.tif 000010
【図９】
2014157720.tif 000011